(57)【要約】【課題】本発明は、郵便物の順序化システムおよび方法に関する。【解決手段】郵便物供給部に設置されたセンサーが、タグが付着された小包郵便物の供給を感知すれば、ＲＦＩＤリーダー部は、小包郵便物のタグを読み取ってタグＩＤを抽出し、抽出したタグＩＤを利用して順路ファイルを生成する。そして、生成した順路ファイル情報に基づいて小包郵便物が積載されたトレーを順序化した後、順路ファイルに基づいて順序化されたトレーを検証する。検証が完了すれば、トレーに積載された小包郵便物を積載部に積載されるようにして、郵便物が自動的に順序化されるようにする。【選択図】図３
2011056497.tif 000002
【特許請求の範囲】
【請求項１】
小包郵便物を順序化するシステムであって、
タグがそれぞれ付着されている複数の小包郵便物を認知して、前記タグからタグＩＤを抽出する郵便物投入部と、
前記郵便物投入部で抽出したタグＩＤおよび前記タグＩＤに対応する小包郵便物の到着地住所情報を保存する情報保存部と、
前記情報保存部に予め保存されている順路情報に基づいて前記タグＩＤに対する順路ファイル情報を生成する順路生成部と、
前記システムを制御して、前記複数の小包郵便物がそれぞれ積載されているトレーを順序化する制御部と、
前記制御部によって順序化されたトレーの順序を検証する検証部と
を含むことを特徴とする郵便物の順序化システム。
【請求項２】
前記郵便物投入部は、
前記複数の小包郵便物の供給を認知する郵便物供給部と、
前記郵便物供給部で小包郵便物の供給を認知して、前記タグを読み取ってタグに保存されているタグＩＤを抽出し、抽出したタグＩＤを前記情報保存部に伝達するＲＦＩＤリーダー部と
を含むことを特徴とする請求項１に記載の郵便物の順序化システム。
【請求項３】
前記情報保存部は、
前記タグＩＤに対応する到着地住所情報を保存する住所ＩＤ保存部と、
前記ＲＦＩＤリーダー部で抽出したタグＩＤを保存し、前記住所ＩＤ保存部から前記タグＩＤに対応する到着地住所情報の伝達を受けて、前記タグＩＤに対応するように保存するタグＩＤ保存部と
を含むことを特徴とする請求項２に記載の郵便物の順序化システム。
【請求項４】
前記制御部は、
前記トレーを前記順路ファイル情報に基づいて順序化するために、第１サークルおよび第２サークルに分岐されるようにダイバータを制御するダイバータ制御部と、
前記検証部によって検証が完了したトレーが積載している小包郵便物を積載部に分岐するように制御するトレー制御部と、
前記小包郵便物を積載しているトレーを順序化するために制御するシステム制御部と
を含むことを特徴とする請求項１に記載の郵便物の順序化システム。
【請求項５】
小包郵便物を順序化する方法であって、
タグが付着された小包郵便物の供給を感知すれば、前記小包郵便物のタグを読み取ってタグＩＤを抽出する段階と、
前記抽出したタグＩＤを利用して順路ファイルを生成する段階と、
前記生成した順路ファイル情報に基づいて前記小包郵便物が積載されたトレーを順序化する段階と、
前記順路ファイルに基づいて順序化されたトレーを検証して、前記トレーに積載された小包郵便物を積載部に積載する段階と
を含むことを特徴とする郵便物の順序化方法。
【請求項６】
前記順路ファイルを生成する段階は、
前記抽出したタグＩＤに対応する到着地住所情報を確認する段階と、
予め保存されている順路情報を利用して前記確認した到着地住所情報に対するタグＩＤの順路ファイルを生成する段階と
を含むことを特徴とする請求項５に記載の郵便物の順序化方法。
【請求項７】
前記トレーを順序化する段階は、
順路分類機に流入するトレーを感知する段階と、
前記感知したトレーが第１トレーであるかを判断する段階と、
第１トレーであれば、第１サークルに分岐し、前記第１トレーに続いて流入するトレーを感知する段階と、
前記第１トレーに続いて流入するトレーが第２トレーであるかを判断する段階と、
第２トレーでなければ、第２サークルに分岐する段階と、
前記第２トレーに続いて流入するトレーが順路上の最後のトレーであるかを判断する段階と、
順路上の最後のトレーであれば、前記順路上の最後のトレーに続いて流入するトレーが前記第１トレーであるかを判断する段階と、
第１トレーであれば、前記順路上の最後のトレーを第１サークルに分岐する段階と、
前記第２サークルに分岐されたトレーを前記第１サークルに挿入する段階と
を含むことを特徴とする請求項５に記載の郵便物の順序化方法。
【請求項８】
前記第１サークルに挿入する段階は、
前記第２サークルにあるトレーが第１トレーおよび第２トレーの間に挿入されるトレーであるかを判断する段階と、
間に挿入されるトレーであれば、前記第２サークルのダイバータを制御して、前記トレーが前記第１トレーおよび第２トレーの間に挿入されるように制御する段階と、
前記第２サークルにトレーが存在するかを確認する段階と
を含むことを特徴とする請求項７に記載の郵便物の順序化方法。
【請求項９】
前記感知したトレーが第１トレーでなければ、第１トレーが感知されるまでトレーを感知して、第１トレーが感知されるまで感知したトレーを第２サークルに分岐しないことを特徴とする請求項７に記載の郵便物の順序化方法。
【請求項１０】
前記第１トレーは、前記順路ファイルに基づいて最初に配達されるべき小包郵便物を積載したトレーであることを特徴とする請求項９に記載の郵便物の順序化方法。
【発明の詳細な説明】
【技術分野】
【０００１】
本発明は、小包郵便物を配達する前に順序化する郵便物の順序化システムおよび方法に関する。
【背景技術】
【０００２】
一般に、郵便集中局に集められる小包郵便物を処理する手順は、図１の一般的な小包郵便物の処理手順を示した例示図の通りである。郵便局職員が小包郵便物の発送を所望する発送人を訪問して小包郵便物を受け取る、発送人が直接受付局を訪問して小包郵便物を受け付けるなどすれば、小包郵便物は発送郵便集中局に送られて、地域別に発送区分される。そして、交換センターを経て区分された小包郵便物が地域別に交換され、交換された小包郵便物は到着郵便集中局に送られて、管轄郵便局単位に到着区分される。
【０００３】
管轄郵便局単位に区分された小包郵便物は配達局に送られて、配達局に送られた郵便物は配達員の担当区域別に区分される。その後、配達員によって配達員が郵便物を配達する順序によって手作業で順路区分されて、発送目的地に配達される。この時、交換センターを経ずに発送郵便集中局および到着郵便集中局の間で直接交換される郵便物もあるが、これは運送効率を高めるために例外的に進められる交換である。
【０００４】
ここで、発送郵便集中局で行われる発送区分とは、他の地域に郵便物を送るために発送集中局で全国の２５個の集中局単位に小包郵便物を区分することである。そして、到着郵便集中局で行われる到着区分とは、自局が管轄する配達局単位に小包郵便物を区分することである。
【０００５】
発送区分および到着区分のために、小包分類機（ＰＳＭ：Ｐａｒｃｅｌ  Ｓｏｒｔｉｎｇ  Ｍａｃｈｉｎｅ）を使用する。小包郵便物に付着された郵便番号バーコードを小包分類機の内部のスキャナによって認識する、作業者が郵便番号を小包分類機に入力するなどして、小包郵便物に対応する集中局や配達局の区分セクターに分類されるようにする。集中局や配達局単位に区分された郵便物は、運送容器であるパレット（Ｐａｌｌｅｔ）に入れられて、車両に積載されて送られる。
【０００６】
配達局に送られた小包郵便物は、図２の一般的な配達局の小包郵便物の処理手順を示した例示図の手順によって処理される。発送目的地に小包郵便物を配達するために、小包郵便物が配達員別に割り当てられ、配達員は、それぞれ自身の郵便物配達順序によって順路区分した後、配達を開始する。
【０００７】
この時、配達のために配達員が行う順路区分作業は、全的に配達員の経験による手作業に依存しているので、作業時間の過多所要、作業結果の不正確性、および作業効率の低下につながり、結局、小包郵便物の処理コストが上昇する、配達サービスの質を低下させるなどの原因になる。
【先行技術文献】
【特許文献】
【０００８】
【特許文献１】米国特許出願公開第２００８／０１５７９７３号明細書
【発明の概要】
【発明が解決しようとする課題】
【０００９】
したがって、本発明は、ＲＦＩＤ基盤で小包などの郵便物の配達順序を小包順路分類機を利用して順序化するためのシステムおよび方法を提供する。
【課題を解決するための手段】
【００１０】
前記本発明の技術的課題を達成するための本発明の一特徴である小包郵便物を順序化するシステムは、タグがそれぞれ付着されている複数の小包郵便物を認知して、前記タグからタグＩＤを抽出する郵便物投入部と、前記郵便物投入部で抽出したタグＩＤおよび前記タグＩＤに対応する小包郵便物の到着地住所情報を保存する情報保存部と、前記情報保存部に予め保存されている順路情報に基づいて前記タグＩＤに対する順路ファイルを生成する順路生成部と、前記システムを制御して、前記複数の小包郵便物がそれぞれ積載されているトレーを順序化する制御部と、前記制御部によって順序化されたトレーの順序を検証する検証部とを含む。
【００１１】
前記本発明の技術的課題を達成するための本発明のまた他の特徴である小包郵便物を順序化する方法は、タグが付着された小包郵便物の供給を感知すれば、前記小包郵便物のタグを読み取ってタグＩＤを抽出する段階と、前記抽出したタグＩＤを利用して順路ファイルを生成する段階と、前記生成した順路ファイルに基づいて前記小包郵便物が積載されたトレーを順序化する段階と、および前記順路ファイルに基づいて順序化されたトレーを検証して、前記トレーに積載された小包郵便物を積載部に積載する段階とを含む。
【発明の効果】
【００１２】
本発明によれば、郵便物の配達順序化システムを利用した順路区分によって郵便物の順序化時間を短縮させることができ、順序化作業の結果の正確性を増大させることができる。また、郵便物の処理コストを節減させることができ、作業の結果の信頼性を向上させることができる。
【図面の簡単な説明】
【００１３】
【図１】一般的な小包郵便物の処理手順を示した例示図である。
【図２】一般的な配達局の小包郵便物の処理手順を示した例示図である。
【図３】本発明の実施例による郵便物の配達順序化システムの構造図である。
【図４】本発明の実施例による郵便物の配達処理方法に関するフローチャート図である。
【図５】本発明の実施例による郵便物の配達順序化方法に関するフローチャート図である。
【図６】本発明の実施例によるトレーの順序化過程に対する例示図である。
【発明を実施するための形態】
【００１４】
以下、添付図面を参考にして、本発明の実施例について、本発明が属する技術分野における通常の知識を有する者が容易に実施できるように詳しく説明する。しかし、本発明は様々な相異した形態で具現され、ここで説明する実施例に限定されない。そして、図面では、本発明を明確に説明するために、説明に不要な部分は省略し、明細書全体にわたって類似した部分については、同一な符号を付けた。
【００１５】
明細書全体で、ある部分がある構成要素を「含む」とする時、これは、特に反対の記載がない限り、他の構成要素を除くのではなく、他の構成要素をさらに含むことを意味する。
【実施例】
【００１６】
以下、図面を参考にして、郵便物の配達順序化システムおよびこれを利用した処理方法について詳しく説明する。
【００１７】
図３は、本発明の実施例による郵便物の配達順序化システムの構造図である。
【００１８】
図３に示したように、郵便物の配達順序化システム１００は、郵便物投入部１１０、情報保存部１２０、制御部１３０、順路ファイル生成部１４０、検証部１５０、および積載部１６０を含む。そして、郵便物投入部１１０は、郵便物供給部１１１およびＲＦＩＤリーダー部１１２を含む。情報保存部１２０は、住所ＩＤ保存部１２１およびタグＩＤ保存部１２２を含み、情報保存部１２０は、郵便物の配達順序化システム１００の内部に位置しなくてもよい。制御部１３０は、ダイバータ（ｄｉｖｅｒｔｅｒ）制御部１３１、トレー（Ｔｒａｙ）制御部１３２、およびシステム制御部１３３を含む。
【００１９】
郵便物供給部１１１は、順次に供給されるタグが付着された小包郵便物を感知して、ＲＦＩＤリーダー部１１２が活性状態に状態変換されるようにシステム制御部１３３に状態変換要請情報を伝達する。
【００２０】
ＲＦＩＤリーダー部１１２は、システム制御部１３３から状態変換指示情報を受信すれば、順次に供給される小包郵便物に付着されたタグを認識してタグＩＤを抽出する。ＲＦＩＤリーダー部１１２が抽出したタグＩＤは、タグＩＤ保存部１２２に伝達される。
【００２１】
タグＩＤ保存部１２２は、ＲＦＩＤリーダー部１１２で抽出されたタグＩＤの伝達を受けて保存する。そして、タグＩＤ保存部１２２は、住所ＩＤ保存部１２１と連動して、タグＩＤに対応する小包郵便物の到着地住所情報の伝達を受けて共に保存する。また、システム制御部１３３で感知したトレーを当該区間の順路分類機のサークルに分岐した場合、小包郵便物の分岐が完了したことを表示するために、小包郵便物を積載しているトレーが感知されたことを表示する情報も保存する。
【００２２】
住所ＩＤ保存部１２１は、タグＩＤに対応する小包郵便物の到着地住所、即ち、到着地住所情報およびタグＩＤが一対一で対応するように保存されていて、住所ＩＤ保存部１２１およびタグＩＤ保存部１２２は互いに連動して、タグＩＤの抽出だけでもタグＩＤに対応する到着地住所情報を確認することができるようにする。
【００２３】
順路ファイル生成部１４０は、小包郵便物の供給が完了すれば、予め保存されている順路情報に基づいて小包郵便物の配達順序を決定して順序化するための順路ファイルを生成して保存する。
【００２４】
ダイバータ制御部１３１は、水平状態のトレーが順路分類機の外側サークル（Ｃｉｒｃｌｅ；以下、説明の便宜上、第１サークルとする）から内側サークル（以下、第２サークルとする）に分岐されて流入するようにダイバータを制御する。また、第２サークルに位置したトレーが第１サークルの当該位置に流入するように、第２サークルに位置した複数のダイバータを制御する。
【００２５】
トレー制御部１３２は、小包郵便物が積載されているトレーの状態を水平状態から垂直状態に変化させて、順序化が完了したトレーに積載されている小包郵便物が外部に排出されるように制御する。
【００２６】
システム制御部１３３は、郵便物投入部１１０、情報保存部１２０、ダイバータ制御部１３１、トレー制御部１３２、検証部１５０、および積載部１６０を制御する。そして、順路分類機のサークルに沿って移動しているトレーのうちで最初に配達されるべき小包郵便物を積載しているトレーを見出して、トレーが順序化されるようにする。これは、順路分類機に装着されているセンサーからトレーに積載された小包郵便物の情報を受信して、順路ファイル生成部１４０に保存されている順路ファイルと比較して確認することによって行われる。
【００２７】
検証部１５０は、小包郵便物がトレーに積載されて、経路に沿って移動しながら整列されて順序化されれば、整列された順序を感知して、順路ファイル生成部１４０に保存されている順路ファイルに沿って整列されているかを検証する。検証が完了するまでトレーは移動し続けるようになる。
【００２８】
積載部１６０は、検証部１５０で検証が完了すれば、トレーに積載された小包郵便物を積載する。この時、トレー制御部１３２の制御によってトレーの状態が水平状態から垂直状態に傾いて、トレーに積載された小包郵便物がパレットなどの積載装備に積載されるようにする。
【００２９】
このような郵便物の配達順序化システムを利用して小包郵便物を処理する方法について、図４乃至図６を参照して詳しく説明する。
【００３０】
図４は、本発明の実施例による郵便物の配達処理方法に関するフローチャートである。そして、図５は、本発明の実施例による郵便物の配達順序化方法に関するフローチャートであり、図６は、本発明の実施例によるトレーの順序化過程に対する例示図である。
【００３１】
図４に示されているように、郵便物供給部１１１は、タグが付着された小包郵便物が投入されることを感知する（Ｓ１００）。そうすれば、活性状態に状態変換されたＲＦＩＤリーダー部１１２は、小包郵便物に付着されたタグを読み取ってタグＩＤを抽出した後（Ｓ１１０）、抽出したタグＩＤをタグＩＤ保存部１２２に伝達して保存する（Ｓ１２０）。これと同時に、タグＩＤ保存部１２２は、住所ＩＤ保存部１２１を参照して、タグＩＤに対応する小包郵便物の到着地住所情報も共に保存する（Ｓ１２０）。
【００３２】
ここで、住所ＩＤ保存部１２１に保存されている住所情報は、全国の小包郵便物が配達される到着地までの住所に対応する唯一のものである。住所ＩＤ保存部１２１は、順路分類機の内部のサーバーに位置することができるが、外部のサーバーに構築されてもよい。したがって、特定の小包郵便物に付着されたタグをＲＦＩＤリーダー部１１２が認識してタグＩＤを抽出すれば、抽出したタグＩＤに対応する住所も自動的にわかり、順路ファイル生成部１４０は、これに基づいて配達される小包郵便物の順路ファイルも生成することができる（Ｓ１４０）。
【００３３】
ＲＦＩＤリーダー部１１２は、小包郵便物の供給が完了したかを判断する（Ｓ１３０）。小包郵便物の供給が続けば、ＲＦＩＤリーダー部１１２は、小包郵便物の感知を続けながらタグＩＤを抽出する。しかし、小包郵便物の供給が完了すれば、順路ファイル生成部１４０は、タグＩＤ保存部１２２に保存されたタグＩＤおよび到着地住所情報に基づいて感知した小包郵便物の配達順序を決定するために順路ファイルを生成する（Ｓ１４０）。
【００３４】
この時、本発明の実施例では、小包郵便物の供給が完了したか否かの確認をＲＦＩＤリーダー部１１２が確認することを例示して説明する。また、予め設定した一定の時間を超過するまでＲＦＩＤリーダー部１１２がＲＦＩＤタグを読み取らない場合、小包郵便物の供給が完了したと判断するが、これに限定されるのではない。
【００３５】
順路ファイル生成部１４０が順路ファイルを生成すれば、システム制御部１３３は、順路分類機に流入した小包郵便物の順序化を行う（Ｓ１５０）。ここで、システム制御部１３３は、順路ファイル生成部１４０に保存されている順路ファイルに基づいて小包郵便物の順序化を行うが、順路分類機のトレーが郵便物を積載しているので、トレーを順序化する作業がすなわち小包郵便物の順序化である。したがって、本発明の実施例では、トレーを順序化する手順を図５および図６を参照して説明する。
【００３６】
図５に示したように、まず、システム制御部１３３は、順路分類機に装着されたセンサーから感知した情報の伝達を受けて、順路ファイルに基づいて最初に配達されるべき小包郵便物を積載したトレー（以下、第１トレーとする）を見出す（Ｓ１５１）。ここで、センサーの位置は、順路分類機の数箇所に装着されていて、説明の便宜上、トレーを感知するセンサーの位置が図６のＡ地点（ポイントＡ）近くにあると仮定して説明するが、これに限定されるのではない。
【００３７】
システム制御部１３３は、センサーが感知したトレーが第１トレーであるかを判断する（Ｓ１５２）。第１トレーであれば、ダイバータ制御部１３１の制御によって、Ａ地点にあるダイバータは、当該トレーが第１サークルに沿って順方向に移動するように分岐する（Ｓ１５３）。これと同時に、タグＩＤ保存部１２２は、第１トレーに積載された小包郵便物のタグＩＤ保存位置に別途の表示によって第１トレーが感知されたことを表示しておく。しかし、Ｓ１５２段階で判断した結果、感知したトレーが第１トレーでなければ、第１トレーを感知するまでトレーを感知し続ける。
【００３８】
次に、Ｓ１５２段階およびＳ１５３段階によって第１トレーが第１サークルに分岐されれば、システム制御部１３３は、第１トレーに続いて順方向に移動するトレーが第２トレーであるかを判断する（Ｓ１５４）。ここで、第２トレーは、二番目に配達されるべき小包郵便物を積載したトレーであるが、そうでなくてもよい。Ｓ１５３段階によってタグＩＤ保存部１２２には第１トレーが感知されたことを知らせる表示以外の他の表示が表示されていないので、Ｓ１５４段階で判断する第２トレーは二番目に配達されるべき小包郵便物を積載したトレーになる。
【００３９】
つまり、Ｓ１５３段階で第１トレーが感知されれば、システム制御部１３３は、タグＩＤ保存部１２２に第１トレーに積載された小包郵便物のタグＩＤ保存位置に第１トレーが感知されたことを知らせる情報が入力されるように指示する。Ｓ１５２段階によってトレーを感知して区分するのは、最初に配達されるべき小包郵便物を積載したトレーを感知して分岐したものであると仮定したため、タグＩＤ保存部１２２の感知情報入力領域には第１トレーの感知完了情報だけが保存されている。
【００４０】
Ｓ１５４段階で判断した結果、第２トレーが二番目に配達されるべき小包郵便物でなければ、ダイバータ制御部１３１は、当該トレーを第２サークルに移動させるためにＡ地点のダイバータを制御して、感知したトレーが順序化区間（Ｔｒａｙ  Ｓｅｑｕｅｎｃｉｎｇ  Ｓｅｃｔｉｏｎ）に位置するようにする（Ｓ１５６）。これと同時に、タグＩＤ保存部１２２は、第２サークルに移動したトレーのタグＩＤに当該トレーを感知したことを知らせる別途の表示をしておく。
【００４１】
しかし、第２トレーが二番目に配達されるべき小包郵便物を積載したトレーであれば、ダイバータ制御部１３１は、当該トレーを第１トレーに続いて第１サークルに分岐して、順方向に移動することができるように、ダイバータを制御する（Ｓ１５５）。このような手順を繰り返しながら、システム制御部１３３は、トレーを第１サークルまたは第２サークルに分岐する作業を完了するようになる。
【００４２】
次に、順路ファイル生成部１４０で生成された順路ファイルに合うように第２サークルにあるトレーを第１サークルの間に挿入する作業を行うために、システム制御部１３３は、感知したトレーが最後に配達されるべき小包郵便物を積載したトレー（以下、Ｎトレーとする）であるかを判断する（Ｓ１５７）。感知したトレーがＮトレーでなければ、ダイバータ制御部１３１は、当該トレーを第１サークルまたは第２サークルに分岐するようにダイバータを制御する。しかし、当該トレーがＮトレーであれば、システム制御部１３３は、Ｎトレーに続いて移動するトレーが郵便物の配達順序上の第１トレーであるかを判断する（Ｓ１５８）。
【００４３】
つまり、当該トレーがＮトレーであれば、ダイバータ制御部１３１は、その次のトレーが最初に配達されるべき郵便物を積載したトレーであるかを検出し（Ｓ１５９）、Ｎトレーでなければ、第１サークルまたは第２サークルに分岐する作業を継続して行うようになる。
【００４４】
再び説明すれば、Ｓ１５７段階乃至Ｓ１５９段階で説明した作業は、Ｎトレーおよび第１トレーの間にトレーが存在しなくなるまで繰り返す。これと共に、順方向、つまり第１サークルから除外しなければならないトレーは第２サークルに分岐されて集まるようになる。
【００４５】
最後に配達されるべき小包郵便物を積載したＮトレーまで分岐した後、システム制御部１３３は、第２サークルにあるトレーを第１サークルに挿入する順序化作業を行うようになる。第２サークルに分岐された特定のトレーがＮトレーおよびその後に感知したＮ＋１トレーの間に位置するトレーであるかを判断する（Ｓ１６０）。間に位置するトレーであると判断されれば、ダイバータ制御部１３１は、順序化区間にあるダイバータを制御して、当該トレーがＮトレーおよびＮ＋１トレーの間に挿入されるようにする（Ｓ１６１）。
【００４６】
それから、システム制御部１３３は、順序化区間にトレーがあるか否かを判断し（Ｓ１６２）、順序化区間にトレーがなくなるまでＳ１６０段階およびＳ１６１段階を繰り返す。
【００４７】
図５に示した手順について例を挙げて説明すれば、Ｓ１５２段階によって感知して判断した第１トレー以降のトレーが１−６−１１−２−７−３−５−４−１０−９−８の順序で連続していると仮定する。そうすれば、１、２、３、４、および８番トレーは外側の第１サークル方向に分岐され、６、１１、７、５、１０、および９番トレーは全てが第２サークル方向に分岐されるようになる。
【００４８】
その後、内側に分岐されたトレーは順序化区間で待機することになり、順方向のトレーの位置のうちの自身が位置すべき所に割り込むようになる。つまり、６番トレーは、第１サークルで動くトレーのうちの４番トレーおよび８番トレーの間に割り込まなければならないので、４番トレーが６番トレーの前を通る時に、ダイバータ制御部１３１の制御によって、６番トレーが４番トレーおよび８番トレーの間に割り込むようになる。
【００４９】
トレーが第１サークルを一周しながら順序化作業をすれば、図４に示したように、検証部１５０は、順路ファイル通りにトレーの順序化が正しく行われているかを判断する（Ｓ１７０）。トレーが順路ファイル通りに正しく順序化されていれば、小包郵便物は、順路分類機から積載部１６０に出るようになる。しかし、順序化が正しく行われていなければ、Ｓ１５０段階の順序化過程を再び経るようになる。このような過程は、投入された小包の数量によって異なるが、一周で済むこともあり、何周もにわたって繰り返されることもある。
【００５０】
以上で説明した本発明の実施例は、装置および方法によってのみ実現されるのではなく、本発明の実施例の構成に対応する機能を実現するプログラムまたはそのプログラムが記録された記録媒体によっても実現され、このような実現は、前述した実施例の記載から本発明が属する技術分野の専門家ならば容易に可能である。
【００５１】
以上で、本発明の実施例について詳細に説明したが、本発明の権利範囲はこれに限定されるのではなく、請求の範囲で定義している本発明の基本概念を利用した当業者の様々な変形および改良形態も本発明の権利範囲に属する。
【符号の説明】
【００５２】
１００  配達順序化システム
１１０  郵便物投入部
１１１  郵便物供給部
１１２  ＲＦＩＤリーダー部
１２０  情報保存部
１２１  住所ＩＤ保存部
１２２  タグＩＤ保存部
１３０  制御部
１３１  ダイバータ制御部
１３２  トレー制御部
１３３  システム制御部
１４０  順路ファイル生成部
１５０  検証部
１６０  積載部
【図１】
2011056497.tif 000003
【図２】
2011056497.tif 000004
【図３】
2011056497.tif 000005
【図４】
2011056497.tif 000006
【図５】
2011056497.tif 000007
【図６】
2011056497.tif 000008